(57)【特許請求の範囲】
【請求項１】
電力を蓄積するバッテリー部と、
情報を無線通信する端末無線データ通信部と、
前記端末無線データ通信部による無線通信に係る所定の識別情報を設定する端末通信設定部と、
無接点で前記バッテリー部に充電する電力を外部端末から受電する受電アンテナであって、前記識別情報を当該外部端末との間で送信又は受信する受電アンテナと、
前記識別情報を記憶する端末記憶部と、
を備え、
前記端末通信設定部は、前記受電アンテナが前記端末記憶部に記憶された識別情報とは異なる識別情報を受信した場合には、記憶された識別情報を受信した識別情報に書き換える
ことを特徴とする携帯無線端末。
【請求項２】
前記受電アンテナは、前記充電又は受電中に、前記識別情報を送信又は受信する
ことを特徴とする請求項１に記載の携帯無線端末。
【請求項３】
情報を無線通信する無線データ通信部と、
前記無線データ通信部による無線通信に係る所定の識別情報を設定する通信設定部と、
無接点で外部端末に電力を送電する送電アンテナであって、前記設定情報を当該外部端末との間で送信又は受信する送電アンテナと、
前記識別情報を記憶する記憶部と、
を備え、
前記通信設定部は、前記送電アンテナが前記記憶部に記憶された識別情報とは異なる識別情報を受信した場合には、記憶された識別情報を受信した識別情報に書き換える
ことを特徴とする無線端末装置。
【請求項４】
前記送電アンテナと前記無線データ通信部とは別筐体に配置されている
ことを特徴とする請求項３に記載の無線端末装置。
【請求項５】
携帯無線端末と無線端末装置とを含んだ無線通信システムであって、
前記携帯無線端末は、
電力を蓄積するバッテリー部と、
情報を無線通信する端末無線データ通信部と、
前記端末無線データ通信部による無線通信を行う前記無線端末装置の識別情報を設定する端末通信設定部と、
無接点で前記バッテリー部に充電する電力を前記無線端末装置から受電する受電アンテナであって、前記識別情報を当該無線端末装置との間で送信又は受信する受電アンテナと、
を備え、
前記無線端末装置は、
情報を無線通信する無線データ通信部と、
前記無線データ通信部による無線通信を行う前記携帯無線端末の識別情報を設定する通信設定部と、
無接点で前記携帯無線端末に電力を送電する送電アンテナであって、前記設定情報を当該携帯無線端末との間で送信又は受信する送電アンテナと、
前記携帯無線端末の識別情報を記憶する記憶部と、
を備え、
前記端末通信設定部は、前記受電アンテナが前記端末記憶部に記憶された前記無線端末装置の識別情報とは異なる識別情報を受信した場合には、記憶された前記無線端末装置の識別情報を受信した識別情報に書き換え、
前記通信設定部は、前記送電アンテナが前記記憶部に記憶された前記携帯無線端末の識別情報とは異なる識別情報を受信した場合には、記憶された前記携帯無線端末の識別情報を受信した識別情報に書き換える
ことを特徴とする無線通信システム。
【請求項６】
前記端末通信設定部は、前記端末無線データ通信部が無線通信を行う前記無線端末装置を、前記受電アンテナが前記識別情報を送信又は受信した前記無線端末装置に限定することを特徴とする請求項５に記載の無線通信システム。
【請求項７】
前記通信設定部は、前記無線データ通信部が無線通信を行う前記携帯無線端末を、前記送電アンテナが前記識別情報を送信又は受信した前記携帯無線端末に限定する
ことを特徴とする請求項５に記載の無線通信システム。
【請求項８】
前記送電アンテナと前記受電アンテナとの間の無線通信回線の到達距離が、前記無接点で電力を送電することが可能な距離と同程度の距離であること
を特徴とする請求項５に記載の無線通信システム。
【発明の詳細な説明】
【技術分野】
【０００１】
本発明は、携帯無線端末、無線端末装置および無線通信システムに関する。
【背景技術】
【０００２】
近年、無線ＬＡＮ（Ｌｏｃａｌ  Ａｒｅａ  Ｎｅｔｗｏｒｋ、ローカル・エリア・ネットワーク）等の無線通信技術の普及発達に伴い、送受信機に無線通信機能を安価に実装できるようになった。そのため、送受信機の対を複数組、一般家庭や法人施設に導入し、送受信機が無線通信を行うために必要な通信設定（例えば、ＩＤ（ｉｄｅｎｔｉｆｉｃａｔｉｏｎ  ｄａｔａ、識別情報）の設定や暗号鍵の交換など）を行うことも多くなった。さらに、送受信機が無線通信を行う相手先を頻繁に変更するような用途も必要になって来た。
【０００３】
また、無線化によるケーブルフリーのメリットを享受する為には、送受信機はバッテリー駆動でなければならない。また、バッテリーはＮｉ−Ｃｄ（ニッケル・カドミウム）電池やリチウム電池などの充電する事で再利用可能な２次電池が使用されることが多い。２次電池の充電方式として、電磁誘導等を利用し電気接点を必要としない無接点電力伝送を利用した充電方式が確立されている。無接点電力伝送を利用した充電方式は、電気接点が苦手とする水気の多い場所で使用する製品を中心に普及している。また、無接点電力伝送の応用技術として無接点電力伝送路にデータ伝送信号を重畳する技術が開示されている（例えば、特許文献１参照）。
【先行技術文献】
【特許文献】
【０００４】
【特許文献１】特開２００７−１４３１１６号公報
【発明の概要】
【発明が解決しようとする課題】
【０００５】
しかしながら、従来、ケーブルを介して情報を送受信していた機器間の通信方法を無線通信に変更する場合、接続先を指定するのに手間がかかるという問題があった。例えば、デジタルカメラとパーソナルコンピュータをＵＳＢケーブルで接続し、デジタルカメラで撮影した画像データをパーソナルコンピュータにＵＳＢケーブルを介して伝送する代わりに無線通信を用いて伝送しようとした場合、無線通信では電波が届く範囲の全てのデジタルカメラとパーソナルコンピュータとが通信を行うことができる可能性がある。そのため、複数のデジタルカメラとパーソナルコンピュータとのうち、操作者の意図するデジタルカメラとパーソナルコンピュータとのみが通信を行うことができるように通信設定を行う必要があった。また、プライバシーの観点で、不特定の第３者にはデジタルカメラとパーソナルコンピュータとの間の通信内容が見られない様に暗号化等のセキュリティの設定も必要となるため、さらに通信設定は煩雑になるという課題があった。
【０００６】
言い換えれば、ケーブルを介して通信を行う方法であれば、ケーブルを接続するという行為で通信を行う対象機器を設定した事と同義になるが、無線通信では、ケーブルを接続するという行為の代わりになる設定を何らかの形で行わなければならないが、この通信設定が煩雑であるという課題がある。
【０００７】
また、無接点電力伝送路にデータ伝送信号を重畳する技術では、無接点電力伝送路は昨今の高速データ伝送の搬送周波数として使用される周波数（数百ＭＨｚ以上）に比べると低い周波数でデータを伝送する為、データ伝送レートの向上は難しく、大容量の画像データ等を短時間に伝送する用途としては向かない。
【０００８】
本発明は、無線通信を行うための通信設定を容易に行うことができる携帯無線端末、無線端末装置および無線通信システムを提供することを目的とする。
【課題を解決するための手段】
【０００９】
本発明は、電力を蓄積するバッテリー部と、情報を無線通信する端末無線データ通信部と、前記端末無線データ通信部による無線通信に係る所定の識別情報を設定する端末通信設定部と、無接点で前記バッテリー部に充電する電力を外部端末から受電する受電アンテナであって、前記識別情報を当該外部端末との間で送信又は受信する受電アンテナと、前記識別情報を記憶する端末記憶部と、を備え、前記端末通信設定部は、前記受電アンテナが前記端末記憶部に記憶された識別情報とは異なる識別情報を受信した場合には、記憶された識別情報を受信した識別情報に書き換えることを特徴とする携帯無線端末である。
【００１２】
また、本発明の携帯無線端末において、前記受電アンテナは、前記充電又は受電中に、前記識別情報を送信又は受信することを特徴とする。
【００１３】
また、本発明は、情報を無線通信する無線データ通信部と、前記無線データ通信部による無線通信に係る所定の識別情報を設定する通信設定部と、無接点で外部端末に電力を送電する送電アンテナであって、前記設定情報を当該外部端末との間で送信又は受信する送電アンテナと、前記識別情報を記憶する記憶部と、を備え、前記通信設定部は、前記送電アンテナが前記記憶部に記憶された識別情報とは異なる識別情報を受信した場合には、記憶された識別情報を受信した識別情報に書き換えることを特徴とする無線端末装置である。
【００１４】
また、本発明の無線端末装置において、前記送電アンテナと前記無線データ通信部とは別筐体に配置されていることを特徴とする。
【００１５】
また、本発明は、携帯無線端末と無線端末装置とを含んだ無線通信システムであって、前記携帯無線端末は、電力を蓄積するバッテリー部と、情報を無線通信する端末無線データ通信部と、前記端末無線データ通信部による無線通信を行う前記無線端末装置の識別情報を設定する端末通信設定部と、無接点で前記バッテリー部に充電する電力を前記無線端末装置から受電する受電アンテナであって、前記識別情報を当該無線端末装置との間で送信又は受信する受電アンテナと、を備え、前記無線端末装置は、情報を無線通信する無線データ通信部と、前記無線データ通信部による無線通信を行う前記携帯無線端末の識別情報を設定する通信設定部と、無接点で前記携帯無線端末に電力を送電する送電アンテナであって、前記設定情報を当該携帯無線端末との間で送信又は受信する送電アンテナと、前記携帯無線端末の識別情報を記憶する記憶部と、を備え、前記端末通信設定部は、前記受電アンテナが前記端末記憶部に記憶された前記無線端末装置の識別情報とは異なる識別情報を受信した場合には、記憶された前記無線端末装置の識別情報を受信した識別情報に書き換え、前記通信設定部は、前記送電アンテナが前記記憶部に記憶された前記携帯無線端末の識別情報とは異なる識別情報を受信した場合には、記憶された前記携帯無線端末の識別情報を受信した識別情報に書き換えることを特徴とする無線通信システムである。
【００１６】
また、本発明の無線通信システムにおいて、前記端末通信設定部は、前記端末無線データ通信部が無線通信を行う前記無線端末装置を、前記受電アンテナが前記識別情報を送信又は受信した前記無線端末装置に限定することを特徴とする。
【００１７】
また、本発明の無線通信システムにおいて、前記通信設定部は、前記無線データ通信部が無線通信を行う前記携帯無線端末を、前記送電アンテナが前記識別情報を送信又は受信した前記携帯無線端末に限定することを特徴とする。
【００１８】
また、本発明の無線通信システムにおいて、前記送電アンテナと前記受電アンテナとの間の無線通信回線の到達距離が、前記無接点で電力を送電することが可能な距離と同程度の距離であることを特徴とする。
【発明の効果】
【００１９】
本発明によれば、無接点でバッテリー部に充電する電力を外部端末から受電する受電アンテナが、端末無線データ通信部による無線通信に係る所定の設定情報を送信または受信するため、煩雑な入力を行うことなく無線通信を行うための通信設定を行うことができる。
【図面の簡単な説明】
【００２０】
【図１】本発明の第１の実施形態における無線通信システムの概略構成を示したブロック図である。
【図２】本発明の第１の実施形態における無線通信システムが備える無線端末装置と携帯無線端末とが属するグループを示した概略図である。
【図３】本発明の第２の実施形態における無線通信システムが備える無線端末装置と携帯無線端末とを示した概略図である。
【発明を実施するための形態】
【００２１】
（第１の実施形態）
以下、本発明の第１の実施形態について図面を参照して説明する。図１は、本実施形態における無線通信システムの概略構成を示したブロック図である。無線通信システムは、無線端末装置１０と携帯無線端末２０とを含む。
【００２２】
無線端末装置１０は、本体部１１と無接点電力送電部１０２とを備える。本体部１１は、電源部１０１と、記憶部１０３と、通信設定部１０４と、高速無線通信部１０５（無線データ通信部）とを備える。無接点電力送信部１０２はコイルアンテナ１０２１（送電アンテナ）を備える。携帯無線端末２０は、無接点電力受電部２０１と、バッテリー２０２と、端末通信設定部２０３と、端末記憶部２０４と、端末高速無線通信部２０５（端末無線データ通信部）とを備える。無接点電力受電部２０１はコイルアンテナ２０１１（受電アンテナ）を備える。
【００２３】
電源部１０１は、商用ＡＣ電源に接続され、商用ＡＣ電源から供給された電力を無線端末装置１０が備える各部に供給する。無接点電力送信部１０２は、電源部１０１から供給される電力を携帯無線端末２０の無接点電力受電部２０１が効率良く受電出来るように変調し、コイルアンテナ１０２１を介して送出する。また、無接点電力送信部１０２は、コイルアンテナ１０２１を介して携帯無線端末２０の無接点電力受電部２０１と第２の無線通信回線を用いて通信を行う。第２の無線通信回線については後述する。
【００２４】
記憶部１０３は第１の無線通信回線を用いて通信を行うために必要な情報を記憶する。第１の無線通信回線については後述する。通信設定部１０４は第１の無線通信回線の通信設定を行う。高速無線通信部１０５は第１の無線通信回線を用いて携帯無線端末２０の端末高速無線通信部２０５と通信を行う。
【００２５】
無接点電力受電部２０１は、コイルアンテナ２０１１を介して無接点電力送信部１０２から受電した電力を直流に変換し、バッテリー２０２の充電を行う。また、無接点電力受電部２０１は、コイルアンテナ２０１１を介して無線端末装置１０の無接点電力送信部１０２と第２の無線通信回線を用いて通信を行う。
【００２６】
バッテリー２０２は二次電池であり、携帯無線端末２０が備える各部に電力を供給する。端末通信設定部２０３は第１の無線通信回線の通信設定を行う。端末記憶部２０４は第１の無線通信回線を用いて通信を行うために必要な情報を記憶する。端末高速無線通信部２０５は第１の無線通信回線を用いて無線端末装置１０の高速無線通信部１０５と通信を行う。
【００２７】
なお、図示する例では、代表例として、本体部１１と無接点電力送信部１０２とが別の筐体である形態となっているが、一体の形態であっても良い。また、無接点電力送信部１０２の形状は、無接点電力送信部１０２に携帯無線端末２０が置かれると無接点電力送信部１０２のコイルアンテナ１０２１と無接点電力受電部２０１のコイルアンテナ２０１１とが無接点電力伝送に好ましい位置関係にセットされる置き台（クレードル）の形状になっている事が望ましい。
【００２８】
また、例えば、無線端末装置１０はパーソナルコンピュータのようにＧＵＩ（Ｇｒａｐｈｉｃａｌ  Ｕｓｅｒ  Ｉｎｔｅｒｆａｃｅ、グラフィカルユーザインタフェース）が充実したものとし、携帯無線端末２０はデジタルカメラのような文字入力等が不便なものとする。パーソナルコンピュータとデジタルカメラとが通信を行うケースは現実に良くあるケースである。
【００２９】
次に、第１の無線通信回線について説明する。第１の無線通信回線は、ＩＥＥＥ８０２．１１ａ／ｂ／ｇなどで規格化された無線ＬＡＮなどに代表される高速データ通信回線である。無線端末装置１０の高速無線通信部１０５と、携帯無線端末２０の端末高速無線通信部２０５とは、第１の無線通信回線を用いて通信を行う。第１の無線通信回線は、一般的に数ｍから数十ｍの到達距離を持ちその範囲内で高速でデータのやり取りを可能とする。なお、第１の無線通信回線は規格化された通信方式に限定されるものではなく、オリジナルの無線方式であっても構わない。
【００３０】
なお、無線端末装置１０の高速無線通信部１０５と携帯無線端末２０の端末高速無線通信部２０５とが第１の無線通信回線を用いて通信を行う際には、通信設定部１０４と端末通信設定部２０３とがグループＩＤや暗号鍵等の情報を交換して通信設定を行う必要がある。通信設定は通信先を特定する等の設定であり、無線ＬＡＮなどを用いて通信を行う際に必要となる一般的な設定である。また、グループＩＤは、無線端末装置１０と携帯無線端末２０が属するグループを一意に特定することができる情報である。
【００３１】
次に、第２の無線通信回線について説明する。第２の無線通信回線は、無接点電力伝送路にデータ伝送信号を重畳する技術を用いた無線通信回線である。これにより、無接点電力受電部２０１のコイルアンテナ２０１１は、無接点電力送電部１０２のコイルアンテナ１０２１から電力を受電中またはバッテリー２０２を充電中に、設定情報を送信又は受信することができる。なお、第２の無線通信回線での通信可能な距離（データ信号の到達距離）は、無接点で電力を送電することが可能な距離と同程度の距離である。
【００３２】
無接点電力伝送路にデータ伝送信号を重畳する技術を用いた無線通信回線を用いて通信装置間で通信を行う場合、伝送距離が短いため第３者の傍受が困難であり、この結果、秘匿性が高い。よって、通信先の設定などの通信設定を行うことなくデータの送受信を行うことができる。そのため、無線端末装置１０の無接点電力送信部１０２と、携帯無線端末２０の無接点電力受電部２０１とは、第２の無線通信回線の伝送距離よりも近づいた場合、通信設定を行うことなく第２の無線通信回線を用いて通信を行うことができる。
【００３３】
また、第２の無線通信回線は、昨今の高速データ伝送の搬送周波数として使用される周波数（数百ＭＨｚ以上）に比べると低い周波数でデータを伝送する。そのため、第２の無線通信回線のデータ伝送レートは低い。また、第２の無線通信回線の伝送距離は秘匿性の観点では短い程都合が良いため、使い勝手とのトレードオフにて決定すると良い。本実施形態では、無線端末装置１０の無接点電力送信部１０２と携帯無線端末２０の無接点電力受電部２０１とは、第２の無線通信回線を用いて、第１の無線通信回線を用いた通信を行うために必要なグループＩＤや暗号鍵等の情報を送受信する。
【００３４】
次に、図２を参照して無線端末装置１０の通信設定部１０４と携帯無線端末２０の端末通信設定部２０３との動きを中心に本実施形態の作用について説明する。図２は、本実施形態における無線通信システムが備える無線端末装置１０と携帯無線端末２０とが属するグループを示した概略図である。
【００３５】
図示する例では、無線通信システムには、無線端末装置１０ａ〜ｅと携帯無線端末２０ａ〜ｅとが含まれている。無線端末装置１０ａ〜ｃと携帯無線端末２０ａ〜ｃとはグループＡに属しており、無線端末装置１０ｄ〜ｅと携帯無線端末２０ｄ〜ｅとはグループＢに属している。なお、グループＡとグループＢとの所有者が違うなどの理由で、同一のグループに属している無線端末装置１０と携帯無線端末２０とは通信を行うように設定するが、グループＡに属する無線端末装置１０ａ〜ｃとグループＢに属する携帯無線端末２０ｄ〜ｅとは通信ができないように設定する必要があり、グループＢに属する無線端末装置１０ｄ〜ｅとグループＡに属する携帯無線端末２０ａ〜ｃとは通信ができないように設定する必要があるとする。
【００３６】
例えば、無線端末装置１０の高速無線通信部１０５と携帯無線端末２０の端末高速無線通信部２０５とが第１の無線通信回線を用いて通信を行うための通信設定の方式は、グループＡに属する無線端末装置１０ａ〜ｃと携帯無線端末２０ａ〜ｃと、グループＢに属する無線端末装置１０ｄ〜ｅと携帯無線端末２０ｄ〜ｅとが、それぞれのグループで共通のグループＩＤと暗号鍵とを持っていなければ通信を行うことができないようにする方式とする。
【００３７】
次に、本実施形態において、無線端末装置１０の高速無線通信部１０５と携帯無線端末２０の端末高速無線通信部２０５とが第１の無線通信回線を用いて通信を行うための通信設定の方法について説明する。この通信設定は無線端末装置１０の通信設定部１０４と携帯無線端末２０の端末通信設定部２０３とが行う。
【００３８】
本実施形態では、無線端末装置１０の記憶部１０３が予め記憶しているグループＩＤと暗号鍵とを、通信設定部１０４が第２の無線通信回線を用いて携帯無線端末２０に送信する。なお、無線端末装置１０には、グループＩＤと暗号鍵とが既知の方法で入力され、入力されたグループＩＤと暗号鍵とが記憶部１０３に記憶されているものとする。無線端末装置１０にグループＩＤと暗号鍵とを入力する方法として一番単純な方法は、操作者が、任意に決定したグループＩＤと暗号鍵とを無線端末装置１０が備えるキーボードやマウス等を利用して入力する方法である。
【００３９】
無線端末装置１０から携帯無線端末２０にグループＩＤと暗号鍵とを第２の無線通信回線を用いて送信する手順は以下のとおりである。操作者が、無線端末装置１０の無接点電力送信部１０２に無線端末装置１０の無接点電力受電部２０１を近づける。無接点電力送信部１０２と無接点電力受電部２０１とが第２の無線通信回線の伝送距離よりも近づき第２の無線通信回線を用いて通信を行うことが可能となったとき、通信設定部１０４は、記憶部１０３が予め記憶しているグループＩＤと暗号鍵とを無接点電力送信部１０２を介して無接点電力受電部２０１に送信する。
【００４０】
無接点電力受電部２０１は、送信されたグループＩＤと暗号鍵とを受信し、端末通信設定部２０３に入力する。端末通信設定部２０３は、入力されたグループＩＤと暗号鍵とに基づいて第１の無線通信回線の通信設定を行い、グループＩＤと暗号鍵とを端末記憶部２０４に記憶させる。この通信設定により、同一のグループＩＤと暗号鍵とを記憶する無線端末装置１０と携帯無線端末２０とは第１の無線通信回線を用いて通信を行うことができる。
【００４１】
これにより、操作者は、通常の無接点電力伝送による充電を行う場合などのように、携帯無線端末２０の無接点電力受電部２０１を無線端末装置１０の無接点電力送信部１０２に近づけるだけで、無線端末装置１０と携帯無線端末２０との間でグループＩＤと暗号鍵の交換ができる。従って、携帯無線端末２０のＧＵＩが十分でない場合においても、操作者は携帯無線端末２０へのグループＩＤと暗号鍵との入力を非常に簡便に行うことができる。
【００４２】
図２に示したように、無線端末装置１０ａ〜ｅと携帯無線端末２０ａ〜ｅとがグループＡまたはグループＢに属している場合、操作者は携帯無線端末２０の無接点電力受電部２０１を同一のグループに属している無線端末装置１０の無接点電力送信部１０２に近づけるだけで、同一のグループに属している無線端末装置１０と携帯無線端末２０との間でグループＩＤと暗号鍵の交換ができる。そのため、操作者は、同一のグループに属している無線端末装置１０と携帯無線端末２０とのみが互いに通信を行うことができるように容易に設定することができる。
【００４３】
なお、グループＩＤと暗号鍵の秘匿性に関する懸念は、第２の無線通信回線の通信距離が短いことで対処可能である。つまり、第２の無線通信回線の通信距離が短いので、悪意を持った第３者が無線端末装置１０の無接点電力送信部１０２に近づくことを防ぐ事が出来れば、携帯無線端末２０にグループＩＤと暗号鍵とを送信することができないため、秘匿性は守れることになる。また、無線端末装置１０にグループＩＤと暗号鍵の受け渡しの確認画面を用意してパスワード等の入力を求めればさらに秘匿性を高めることができる。
【００４４】
なお、本実施形態においては、同一グループに属する全ての装置間の通信は常に可能であるため、第１の無線通信回線を利用したデータ伝送の送り元と送り先の指定についてはデータ伝送の毎に指定する必要がある。但し、ＧＵＩの発達した無線端末装置１０で指定を行うのであればさほど苦にはならない。
【００４５】
また、上記では、第２の無線通信回線を用いてグループＩＤと暗号鍵を交換する例を用いて説明したが、第２の無線通信回線を用いて送受信する情報はこれに限定されるものではなく、秘匿性を高める為の情報などを第２の無線通信回線を利用して伝送しても良い。また、第１の無線通信回線を用いて送受信する主たる情報（例えば、画像、音声、テキスト、アプリケーションファイル等）の伝送はグループ内に限定されるが、これは他のグループとの一切の通信を否定するものではなく、衝突回避等、制御的通信は他のグループに属する装置との間でも行われる。
【００４６】
上述したとおり、無線端末装置１０と携帯無線端末２０とは、第２の無線通信回線を用いてグループＩＤと暗号鍵との交換を行って第１の無線通信回線の通信設定を行うため、通信設定情報の煩雑な入力を行うことなく第１の無線通信の設定が実現可能となる。さらに、第２の無線通信回線は、無接点電力伝送路にデータ伝送信号を重畳する技術を用いた無線通信回線であるため、無線端末装置１０と携帯無線端末２０とに近接無線用の個別のアンテナなどを設置する必要もなく第１の無線通信回線の通信設定を行うことができる。従って、コストの削減や小型化にも貢献できる。
【００４７】
（第２の実施形態）
以下、本発明の第２の実施形態について説明する。本実施形態における無線端末装置１０と携帯無線端末２０との構成は第１の実施形態の各装置と同様の構成である。本実施形態では、第１の無線通信回線の主たる情報の伝送対象が、複数ある無線端末装置１０の内の１つと、同じく複数ある携帯無線端末２０の内の１つに限定される、一般にピアｔｏピアと呼ばれる通信の場合に効果のある例について説明する。
【００４８】
具体的には、携帯無線端末２０はＣＣＤ（Ｃｈａｒｇｅ  Ｃｏｕｐｌｅｄ  Ｄｅｖｉｃｅ、電荷結合素子）センサを備え、撮像した動画（画像）を無線端末装置１０に送信する画像伝送装置であり、また、無線端末装置１０は携帯無線端末２０から受信した動画（画像）をリアルタイムでモニタに表示するような装置であり、これらの装置がピアｔｏピアで通信を行う場合を例として説明する。さらに詳しく述べれば、操作者が、無線端末装置１０のモニタを見ながら、携帯無線端末２０が備えるＣＣＤセンサの向きや位置など変更し、自由に色々な部位を観察するようなシステムに本発明は適している。
【００４９】
また、無線通信システムに無線端末装置１０と携帯無線端末２０とが複数含まれており、無線端末装置１０と携帯無線端末２０との間のピアｔｏピアの通信の対を頻繁に変更する場合にも本発明は威力を発揮する。ピアｔｏピアの通信の対を頻繁に変更する必要性の例を示すと、例えば、これまで使用していたＣＣＤセンサのついた携帯無線端末２０が複数存在し、その内の１台を洗浄や整備の為に別室に持って行き、事前に洗浄や整備が終わっている別の携帯無線端末２０を無線端末装置１０と無線通信させて利用する場合などが想定される。
【００５０】
次に、図３を参照して無線端末装置１０の通信設定部１０４と携帯無線端末２０の端末通信設定部２０３との動きを中心に本実施形態の作用について説明する。図３は、本実施形態における無線通信システムが備える無線端末装置１０と携帯無線端末２０とを示した概略図である。図示する例では、無線通信システムには無線端末装置１０ａ〜ｂと、携帯無線端末２０ａ〜ｃとが含まれている。
【００５１】
以下、無線通信システムに含まれている装置のうち、無線端末装置１０ａと携帯無線端末２０ｃとを組み合わせて使用する場合の動作について説明する。最初に、操作者は固定無線端末１０ａの無接点電力送信部１０２に携帯無線端末２０ｃをセットする。無線端末装置１０ａの通信設定部１０４と携帯無線端末２０ｃの端末通信設定部２０３とは、携帯無線端末２０ｃが無線端末装置１０aの無接点電力送信部１０２にセットされた事を検知すると、それぞれの個体識別情報（ＵＩＤ）を第２の無線通信回線を用いて交換する。個体識別情報は、無線端末装置１０または携帯無線端末２０を一意に特定する情報である。そして、通信設定部１０４と端末通信設定部２０３とは、お互いの主たる情報の送信先の装置（ピアｔｏピアの接続先）を、交換した個体識別情報で一意に特定される装置に変更する。
【００５２】
この動作は書き換え動作であり、通信設定部１０４と端末通信設定部２０３とは、これまで記憶部１０３と端末記憶部２０４とに記録保持されていた個体識別情報を消去し、新たに受信した個体識別情報を記憶部１０３と端末記憶部２０４とに記録保持させる。通信設定部１０４と端末通信設定部２０３とがこの様な動作をする様にプログラミングされていれば、リアルタイムに動画（画像）を転送するシステムの具体例では、操作者は、無線端末装置１０ａの無接点電力送信部１０２に携帯無線端末２０ｃをセットするだけで、眼前の携帯無線端末２０ｃが備えるＣＣＤセンサが撮影した動画（画像）を、同じく眼前の無線端末装置１０ａが備えるモニタ画面に表示させることができる。
【００５３】
また、ある操作者が無線端末装置１０ａと携帯無線端末２０ｃとを使用している間においても、他の操作者は無線端末装置１０ｃと携帯無線端末２０ａまたはｂとを並行して使用することができる。但し、無線端末装置１０と携帯無線端末２０との間の通信はピアｔｏピアを目的としているため、複数の携帯無線端末２０の通信相手先を１つの無線端末装置１０とした場合には、一番先に電源が入った携帯無線端末２０のみを無線端末装置１０と通信できるようにするなどの取り決めとその制御が必要となる。なお、後から電源が入った携帯無線端末２０を優先しても構わない。
【００５４】
また、無線端末装置１０の通信設定部１０４と携帯無線端末２０の端末通信設定部２０３とが、携帯無線端末２０が無線端末装置１０の無接点電力送信部１０２にセットされた事を検知する方法として以下の様な代表例が考えられるが、無線通信システムに応じて最善の方法を選択すれば良い。
【００５５】
１）無接点電力伝送によって携帯無線端末２０の無接点電力受電部２０１で発生する起電圧を検知した場合、携帯無線端末２０が無線端末装置１０の無接点電力送信部１０２にセットされたと検知する方法。なお、この場合、無線端末装置１０の無接点電力送信部１０２を常に動かしておく必要があるが、通常は無接点電力送信部１０２の印加電力を下げておくことや、インターバルを持たせる等で省電力化を実現することが可能である。
【００５６】
２）第２の通信回線を用いた通信を一定のインターバルで常に行い、その通信が成功した場合、携帯無線端末２０が無線端末装置１０の無接点電力送信部１０２にセットされたと検知する方法。
【００５７】
３）磁石とホールセンサなど磁気を利用したセンサ、または光センサと光受光素子など光の検出を利用したセンサを設け、このセンサの検知結果により携帯無線端末２０が無線端末装置１０の無接点電力送信部１０２にセットされたと検知する方法。なお、この場合、センサや素子を無接点電力送信部１０２や携帯無線端末２０に設置する必要がある。
【００５８】
４）無線端末装置１０の無接点電力送信部１０２と携帯無線端末２０とに専用の接点を設け、接点が接続したことを検知した場合、携帯無線端末２０が無線端末装置１０の無接点電力送信部１０２にセットされたと検知する方法。
【００５９】
なお、上述した無線端末装置１０の通信設定部１０４と携帯無線端末２０の端末通信設定部２０３とが、携帯無線端末２０が無線端末装置１０の無接点電力送信部１０２にセットされた事を検知する方法については、第１の実施形態にも適用できる。
【００６０】
上述したとおり、無線端末装置１０の通信設定部１０４と携帯無線端末２０の端末通信設定部２０３とは、携帯無線端末２０が無線端末装置１０の無接点電力送信部１０２にセットされた事を検知すると、それぞれの個体識別情報を第２の無線通信回線を用いて交換し、お互いの主たる情報の通信先を、交換した個体識別情報で一意に特定される装置に変更する。これにより、ピアｔｏピアの情報の伝送の対を、煩雑な入力無しに設定可能となる。さらに、第２の無線通信回線は、無接点電力伝送路にデータ伝送信号を重畳する技術を用いた無線通信回線であるため、近接無線用の個別のアンテナなどを設置する必要もなく実現できるので、コストの削減や小型化にも貢献できる。
【００６１】
なお、上述した第１の実施形態および第２の実施形態では、無線端末装置１０の記憶部１０３が、第１の無線通信回線を用いて通信を行うために必要な設定情報（第１の実施形態ではグループＩＤと暗号鍵、第２の実施形態では個体識別情報）を記憶しており、第２の無線通信回線を用いて無線端末装置１０から携帯無線端末２０に送信する例を示したが、これに限らない。例えば、携帯無線端末２０の端末記憶部２０４が、第１の無線通信回線を用いて通信を行うために必要な設定情報を記憶しており、第２の無線通信回線を用いて携帯無線端末２０から無線端末装置１０に送信するようにしてもよい。
【００６２】
以上、この発明の第１の実施形態と第２の実施形態について図面を参照して詳述してきたが、具体的な構成はこの実施形態に限られるものではなく、この発明の要旨を逸脱しない範囲の設計等も含まれる。
【符号の説明】
【００６３】
１０，１０ａ〜１０ｅ・・・無線端末装置、１１・・・本体部、２０，２０ａ〜２０ｅ・・・携帯無線端末、１０１・・・電源部、１０２・・・無接点電力送信部、１０３・・・記憶部、１０４・・・通信設定部、１０５・・・高速無線通信部、２０１・・・無接点電力受電部、２０２・・・バッテリー、２０３・・・端末通信設定部、２０４・・・端末記憶部、２０５・・・端末高速無線通信部、１０２１，２０１１・・・コイルアンテナ
【図１】
0005478298.tif 000002
【図２】
0005478298.tif 000003
【図３】
0005478298.tif 000004